(57)【特許請求の範囲】
【請求項１】
ポンプ及び駆動モータがカップリングされた状態で架台上に設置されたポンプシステムの吊り上げ方法であって、
前記架台に取り付けられた複数の吊り具にワイヤをかけて、前記架台をクレーンで吊り上げると共に、前記ポンプ及び前記駆動モータに取り付けられた吊り具にワイヤをかけて、前記ポンプ及び前記駆動モータを前記クレーンで吊り上げるポンプシステムの吊り上げ方法。
【請求項２】
水準器センサによって前記ポンプ、前記駆動モータ、前記架台の少なくとも１つの傾きを測定し、前記傾きに基づいて、前記架台が水平を保つように、前記ワイヤの長さを調整する請求項１に記載の方法。
【請求項３】
たわみセンサによって前記架台のたわみを測定し、前記たわみに基づいて、吊り上げ時の前記架台のたわみを小さくするように前記ワイヤの長さを調整する請求項１または２に記載の方法。
【請求項４】
張力センサによってそれぞれの前記ワイヤにかかる張力を測定し、前記張力に基づいて、吊り上げ時の前記架台のたわみを小さくするように、前記ワイヤの長さを調整する請求項１乃至３のいずれかに記載の方法。
【請求項５】
前記架台上に、前記架台が水平を保つようにするためのカウンターバランスを設置する請求項１乃至４のいずれかに記載の方法。
【請求項６】
吊り上げ治具によって前記複数の吊り具にかけられたワイヤが略鉛直になる方向に吊り上げる請求項１乃至５のいずれかに記載の方法。
【請求項７】
前記ポンプを設置した架台と前記駆動モータを設置した架台とが別体の場合に、固定治具によって、前記ポンプを設置した架台と前記駆動モータを設置した架台とを固定した上で前記ポンプシステムを吊り上げる請求項１乃至６のいずれかに記載の方法。
【請求項８】
ポンプ及び駆動モータがカップリングされた状態で架台上に設置されたポンプシステムの吊り上げ方法であって、前記架台に取り付けられた複数の吊り具にワイヤをかけて、前記架台をクレーンで吊り上げると共に、前記ポンプ及び前記駆動モータに取り付けられた吊り具にワイヤをかけて、前記ポンプ及び前記駆動モータを前記クレーンで吊り上げるポンプシステムの吊り上げ方法において用いられるワイヤ長さ調整装置であって、
前記ポンプ、前記駆動モータ又は前記架台に取り付けられた少なくとも１つの水準器センサからの信号に基づいて、前記架台が水平を保つように、前記架台に取り付けられた複数の吊り具にかけられたワイヤと、前記ポンプ及び前記駆動モータに取り付けられた吊り具にかけられたワイヤの長さを調整するワイヤ長さ調整装置。
【請求項９】
ポンプ及び駆動モータがカップリングされた状態で架台上に設置されたポンプシステムの吊り上げ方法であって、前記架台に取り付けられた複数の吊り具にワイヤをかけて、前記架台をクレーンで吊り上げると共に、前記ポンプ及び前記駆動モータに取り付けられた吊り具にワイヤをかけて、前記ポンプ及び前記駆動モータを前記クレーンで吊り上げるポンプシステムの吊り上げ方法において用いられるワイヤ長さ調整装置であって、
前記架台に取り付けられたたわみセンサからの信号に基づいて、吊り上げ時の前記架台のたわみを小さくするように、前記架台に取り付けられた複数の吊り具にかけられたワイヤと、前記ポンプ及び前記駆動モータに取り付けられた吊り具にかけられたワイヤの長さを調整するワイヤ長さ調整装置。
【請求項１０】
ポンプ及び駆動モータがカップリングされた状態で架台上に設置されたポンプシステムの吊り上げ方法であって、前記架台に取り付けられた複数の吊り具にワイヤをかけて、前記架台をクレーンで吊り上げると共に、前記ポンプ及び前記駆動モータに取り付けられた吊り具にワイヤをかけて、前記ポンプ及び前記駆動モータを前記クレーンで吊り上げるポンプシステムの吊り上げ方法において用いられるワイヤ長さ調整装置であって、  前記ワイヤに取り付けられた張力センサからの信号に基づいて、吊り上げ時の前記架台のたわみを小さくするように、前記架台に取り付けられた複数の吊り具にかけられたワイヤと、前記ポンプ及び前記駆動モータに取り付けられた吊り具にかけられたワイヤの長さを調整するワイヤ長さ調整装置。
【請求項１１】
ポンプ及び駆動モータがカップリングされた状態で架台上に設置されたポンプシステムの吊り上げ方法であって、前記架台に取り付けられた複数の吊り具にワイヤをかけて、前記架台をクレーンで吊り上げると共に、前記ポンプ及び前記駆動モータに取り付けられた吊り具にワイヤをかけて、前記ポンプ及び前記駆動モータを前記クレーンで吊り上げるポンプシステムの吊り上げ方法において用いられる吊り上げ冶具であって、
前記架台に取り付けられた複数の吊り具にかけられたワイヤを接続する複数のアイボルトと、前記ポンプ及び前記駆動モータに取り付けられた吊り具にかけられたワイヤを接続する複数のアイボルトとを有し、
各アイボルトは、前記架台に取り付けられた複数の吊り具にかけられたワイヤと、前記ポンプ及び前記駆動モータに取り付けられた吊り具にかけられたワイヤとが吊り上げ時に略鉛直方向を向くような位置に設けられている吊り上げ治具。
【発明の詳細な説明】
【技術分野】
【０００１】
本発明は、架台上にポンプ及び駆動モータが設置されたポンプシステムの吊り上げ方法に関する。
【背景技術】
【０００２】
従来から大型のポンプや駆動モータ等をベース上に設置したポンプユニットが知られていた。こうした大型のポンプユニットは、設置場所への搬入や据付作業に多大な労力が必要であり、設置工事コストが高かった。
【０００３】
例えば、特許文献１に記載された加圧送水ユニットでは、こうした問題を解決するために、ポンプ及び駆動モータを設置した主体ベースと、制御盤を含む補助ベースとを分割して構成し、据え付け時にボルトで連結する。
【０００４】
ところで、ポンプシステムを設置場所に運ぶのは次の方法によって行われていた。すなわち、ポンプペデスタル及びモータペデスタルを設けてある架台上に、カップリングで繋いだポンプ及び駆動モータを組み付けた後、架台に取り付けられた４つのアイボルトを利用して、玉掛けによって吊り上げて、ポンプ装置全体を移動させて組立て、搬送等を行っていた。
【先行技術文献】
【特許文献】
【０００５】
【特許文献１】特開２０１３−１１１３６３号公報
【発明の概要】
【発明が解決しようとする課題】
【０００６】
しかし、架台に取り付けたアイボルトを使って吊り上げる方法だと、吊り上げ時に、重量物である駆動モータやポンプ等の重量によって架台が大きく歪んでしまう場合があった。これにより、駆動モータとポンプのジョイント部であるカップリングやその他の配管類を破損することがあった。架台の強度を高くすれば解決できるが、搬送のためだけに架台の強度を高くすることは現実的ではない。
【０００７】
また、架台を吊り上げる際には、配管荷重、配置も考慮する必要があるため、玉掛けの綱が配管に干渉しないようにするため、吊りボルト位置が限定されてしまっていた。そのため、吊りボルトをむやみに多くすることはできず、また、適切な位置で吊ることが難しく、安全上の問題もあった。
【０００８】
そこで、本発明は、架台の変形を防止しつつ、ポンプシステムを吊り上げることができる方法を提供することを目的とする。
【課題を解決するための手段】
【０００９】
本発明のポンプシステムの吊り上げ方法は、ポンプ及び駆動モータがカップリングされた状態で架台上に設置されたポンプシステムの吊り上げ方法であって、前記架台に取り付けられた複数の吊り具にワイヤをかけて、前記架台をクレーンで吊り上げると共に、前記ポンプ及び前記駆動モータに取り付けられた吊り具にワイヤをかけて、前記ポンプ及び前記駆動モータを前記クレーンで吊り上げる。本発明のポンプシステムは、ポンプ及び駆動モータがカップリングされた状態で架台上に設置されたポンプシステムであって、前記ポンプ、前記駆動モータ及び前記架台にワイヤをかけるための吊り具を備えた構成を有する。
【００１０】
このように架台に取り付けられた吊り具にワイヤをかけるのみならず、ポンプ及び駆動モータに取り付けられた吊り具にワイヤをかけてクレーンで吊り上げることにより、架台にかかる力を軽減し、架台の変形やポンプシステムの破損を防止しつつ、ポンプシステムを吊り上げることができる。
【００１１】
本発明のポンプシステムの吊り上げ方法は、複数本のワイヤの長さを調整するワイヤ長さ調整装置によって、吊り上げ時にワイヤの長さを調整してもよい。すなわち、（１）水準器センサによって前記ポンプ、前記駆動モータ、前記架台の少なくとも１つの傾きを測定し、前記傾きに基づいて、前記架台が水平を保つように前記ワイヤの長さを調整してもよいし、（２）たわみセンサによって前記架台のたわみを測定し、前記たわみに基づいて、吊り上げ時の前記架台のたわみを小さくするように前記ワイヤの長さを調整してもよいし、（３）張力センサによってそれぞれの前記ワイヤにかかる張力を測定し、前記張力に基づいて、吊り上げ時の前記架台のたわみを小さくするように、前記ワイヤの長さを調整してもよい。この構成により、水平を保った状態またはたわみの小さい状態でポンプシステムを吊り上げ、ポンプシステムの変形や破損を防止できる。
【００１２】
本発明のポンプシステムの吊り上げ方法は、前記架台上に、前記架台が水平を保つようにするためのカウンターバランスを設置してもよい。また、本発明のポンプシステムは、上記方法において用いられ、前記カウンターバランスを設置するための設置部を有する架台を備える。
【００１３】
ポンプ、駆動モータ、配管等とワイヤとが干渉し、架台のバランスを保てる適切な位置に吊り具を設けることができない場合がある。本発明の構成により、吊り具をバランスの悪い場所に取り付けなければならない時にも、カウンターバランス（おもり）によって、バランスをとることができる。これにより、ポンプ、駆動モータ、配管等とワイヤとの干渉を避けることができる。
【００１４】
本発明のポンプシステムの吊り上げ方法は、吊り上げ治具によって前記複数の吊り具にかけられたワイヤが略鉛直になる方向に吊り上げてもよい。また、本発明の吊り上げ治具は、この方法において用いられる吊り上げ治具である。この構成により、架台を水平に維持しつつ吊り上げることができる。
【００１５】
本発明のポンプシステムの吊り上げ方法は、前記ポンプを設置した架台と前記駆動モータを設置した架台とが別体の場合に、固定治具によって、前記ポンプを設置した架台と前記駆動モータを設置した架台とを固定した上で前記ポンプシステムを吊り上げてもよい。また、本発明の固定治具は、この方法において用いられる固定治具である。
【００１６】
ポンプ、駆動モータが特に大型の場合には、それぞれを載置する別体の架台が必要となるが、そのような場合であっても、固定治具を用いて各架台を固定することにより、ポンプと駆動モータのカップリングを破損することなく、ポンプシステムを吊り上げることができる。
【発明の効果】
【００１７】
本発明によれば、架台に取り付けられた吊り具にワイヤをかけるのみならず、ポンプ及び駆動モータに取り付けられた吊り具にワイヤをかけてクレーンで吊り上げることにより、架台にかかる力を軽減し、架台の変形やポンプシステムの破損を防止しつつ、ポンプシステムを吊り上げることができる。
【図面の簡単な説明】
【００１８】
【図１】第１の実施の形態の吊り上げ方法を説明するための図である。
【図２】第２の実施の形態の吊り上げ方法を説明するための図である。
【図３】第３の実施の形態の吊り上げ方法を説明するための図である。
【図４】従来の吊り上げ方法を示す図である。
【発明を実施するための形態】
【００１９】
本発明のポンプシステムの吊り上げ方法について図面を参照しながら説明する。
（第１の実施の形態）
図１は、第１の実施の形態に係るポンプシステムの吊り上げ方法を説明するための図である。ポンプシステムは、架台１０上に駆動モータ１１とポンプ１４が設置されて構成されている。駆動モータ１１は、架台１０に設けられたモータペデスタル１２上に設置され、ポンプ１４はポンプペデスタル１５上に設置されている。駆動モータ１１の軸１３とポンプ１４の軸１６は、カップリング１７によって接続されている。
【００２０】
架台１０は、上から見て略長方形の形状を有している。長方形形状の４つの頂点付近に、アイボルト２０が設けられている。図２では、手前の２つのアイボルトが見えている。アイボルト２０は、クレーンのワイヤ２１を掛ける吊り具である。従来は、４箇所のアイボルト２０にワイヤ２１を掛けて架台１０及び架台１０に載置された駆動モータ１１及びポンプ１４を吊り上げていたが、本実施の形態では、架台１０の他に、駆動モータ１１及びポンプ１４にもアイボルト２２，２３が設けられている。ポンプシステムを吊り上げる際には、駆動モータ１１のアイボルト２２及びポンプ１４のアイボルト２３にもワイヤ２１を掛けて、ポンプシステムを持ち上げる。
【００２１】
また、本実施の形態のポンプシステムでは、複数のワイヤ２１の長さを調整するワイヤ長さ調整装置３０を備えている。ワイヤ長さ調整装置３０は、各ワイヤ２１にかかる張力を検知する張力センサを備えている。また、架台１０、駆動モータ１１、ポンプ１４のそれぞれには水準器センサ３１〜３３が取り付けられている。水準器センサ３１〜３３は、傾きを検知するセンサであり、検知した傾きのデータを送信する機能を有しており、データをワイヤ長さ調整装置３０に送信する。さらに、架台１０には、たわみセンサ３４が取り付けられている。たわみセンサ３４は、架台１０のたわみを検知して、検知したたわみデータをワイヤ長さ調整装置３０に送信する機能を有する。
【００２２】
ワイヤ長さ調整装置３０は、水準器センサ３１〜３３にて検知した傾きと、たわみセンサ３４で検知したたわみと、張力センサにて検知したワイヤ２１の張力とに基づいて、架台１０が水平を保つように、また、架台１０のたわみが小さくなるように、ワイヤ２１の長さを調整する機能を有する。
【００２３】
本実施の形態によれば、架台１０に取り付けられたアイボルト２０にワイヤ２１をかけるのみならず、ポンプ１４及び駆動モータ１１に取り付けられたアイボルト２０にワイヤ２１をかけてクレーンで吊り上げることにより、架台１０にかかる力を軽減し、架台１０の変形やポンプシステムの破損を防止しつつ、ポンプシステムを吊り上げることができる。
【００２４】
なお、本実施の形態では、ワイヤ２１の長さを調整するワイヤ長さ調整装置３０を用いる例を挙げて説明したが、架台１０上の駆動モータ１１やポンプ１４の位置や、アイボルト２０，２２，２３の位置をあらかじめ正確に設計しておくことにより、ワイヤ２１の長さを調整するワイヤ長さ調整装置３０を用いないでポンプシステムを吊り上げることも可能である。
【００２５】
（第２の実施の形態）
図２は、第２の実施の形態に係るポンプシステムの吊り上げ方法を説明するための図である。第２の実施の形態の吊り上げ方法は、第１の実施の形態の吊り上げ方法と同様に、駆動モータ１１及びポンプ１４に設けられたアイボルト２２，２３にワイヤ２１をかけて吊り上げるのは同じであるが、ポンプシステムを吊り上げるために、吊り上げ治具４０を用いる点が異なっている。
【００２６】
吊り上げ治具４０は、架台１０と同様に、上方から見て長方形の形状を有する鋼板４１を有し、鋼板４１の下側には、ポンプシステムに設けられた各アイボルト２０，２２，２３からのワイヤ２１を接続するアイボルト４２が設けられている。鋼板４１の上側には、吊り上げたときに鋼板４１を水平に保つことができる位置に複数のアイボルト４３が設けられている。このアイボルト４３にワイヤ２１をかけて吊り上げ治具４０をクレーンで引っ張ることにより、ポンプシステムを鉛直に吊り上げることができる。
【００２７】
第２の実施の形態の吊り上げ方法は、第１の実施の形態と同様に、架台１０にかかる力を軽減し、架台１０の変形やポンプシステムの破損を防止しつつ、ポンプシステムを吊り上げることができる。
【００２８】
また、第２の実施の形態では、吊り上げ治具４０を用いているため、ポンプシステムを鉛直に吊り上げることが容易であり、しかも、ポンプシステムと吊り上げ治具４０との間のワイヤ２１は吊り上げ時に略鉛直方向を向くので、駆動モータ１１、ポンプ１４、配管などに干渉しない。
【００２９】
（第３の実施の形態）
図３は、第３の実施の形態に係るポンプシステムの吊り上げ方法を説明するための図である。第３の実施の形態の吊り上げ方法について説明する前に、従来の吊り上げ方法について説明する。
【００３０】
図４は、従来のポンプシステムの吊り上げ方法について説明するための図である。駆動モータ１１及びポンプ１４が特に大型なものになると、一つの架台で駆動モータ１１とポンプ１４の両方を載置することが困難なため、駆動モータ１１を載置する架台１０ａとポンプ１４を載置する架台１０ｂとが別体になる場合があった。このような別体の架台１０ａ，１０ｂを有する場合には、駆動モータ１１とポンプ１４とをカップリングによって接続した状態で吊り上げると、駆動モータ１１とポンプ１４の高さが異なってカップリングや軸が破損するおそれがあるため、駆動モータ１１とポンプ１４とをカップリングした状態で吊り上げることはできなかった。
【００３１】
図３に示すように、第３の実施の形態では、別体である駆動モータ１１の架台１０ａとポンプ１４の架台１０ｂとを固定治具４４によって仮止め固定する。具体的には、各架台１０ａ，１０ｂに対してボルト４５によって固定治具４４を固定する。これにより、第２の実施の形態と同様に、架台１０ａ，１０ｂにかかる力を軽減し、架台１０ａ，１０ｂの変形やポンプシステムの破損を防止しつつ、ポンプシステムを吊り上げることができる。ポンプシステムを設置場所に搬送した後には、固定治具４４を外す。
【００３２】
以上、本発明のポンプシステムの吊り上げ方法について実施の形態を挙げて説明したが、本発明の吊り上げ方法は、上記した実施の形態に限定されるものではない。例えば、第２の実施の形態において、ワイヤの長さ調整装置を用いることとしてもよい。
【００３３】
上記した実施の形態において、ワイヤ２１を掛けて吊り上げたときに架台１０がバランスする位置にアイボルト２０，２２，２３を設けることができない場合には、ワイヤ２１が干渉しない位置にアイボルト２０，２２，２３を設け、架台１０を水平に保つカウンターバランス（おもり）を設置することとしてもよい。また、このようなカウンターボルトを設置するための場所を設けた架台１０も本発明の範囲に含まれる。
【００３４】
また、上記した実施の形態の吊り上げ方法で用いたポンプシステム、ワイヤの長さ調整装置、吊り上げ治具、固定治具も本発明に含まれる。
【産業上の利用可能性】
【００３５】
本発明は、架台に載置された駆動モータ及びポンプを有するポンプシステムを吊り上げる方法として有用である。
【符号の説明】
【００３６】
１０  架台
１１  駆動モータ
１２  モータペデスタル
１３  軸
１４  ポンプ
１５  ポンプペデスタル
１６  軸
１７  カップリング
２０  アイボルト
２１  ワイヤ
２２、２３  アイボルト
３０  ワイヤ長さ調整装置
３１〜３３  水準器センサ
３４  たわみセンサ
４０  吊り上げ治具
４１  鋼板
４２、４３  アイボルト
４４  固定治具
４５  ボルト
【図１】
0006527781.tif 000002
【図２】
0006527781.tif 000003
【図３】
0006527781.tif 000004
【図４】
0006527781.tif 000005